(57)【要約】      （修正有）【課題】簡単かつ確実にクリップを取付けることができるクリップ装置を提供する。【解決手段】長尺の筒状体２と、前記筒状体の先端側に設けられ、開閉自在なクリップを着脱自在に支持すると共に該クリップを閉じる機能を有する機能部３と、前記筒状体の基端側に設けられ、前記機能部を作動させる操作を行う操作部４とを有するクリップ装置１であって、前記操作部近傍に、前記クリップを保持する保持部５を有し、かつ前記保持部は着脱可能であることを特徴とする。【選択図】図１
2006026119.tif 000002
【特許請求の範囲】
【請求項１】
長尺の筒状体と、
前記筒状体の先端側に設けられ、開閉自在なクリップを着脱自在に支持すると共に該クリップを閉じる機能を有する機能部と、
前記筒状体の基端側に設けられ、前記機能部を作動させる操作を行う操作部とを有するクリップ装置であって、
前記操作部近傍に、前記クリップを保持する保持部を有し、かつ前記保持部は着脱可能であることを特徴とするクリップ装置。
【請求項２】
着脱された前記保持部を、固定する手段を有するものである請求項１記載のクリップ装置。
【請求項３】
前記固定する手段は、台座である請求項２に記載のクリップ装置。
【請求項４】
前記機能部は、前記操作部による操作により開閉可能な前記クリップを把持するクリップ把持部を有するものである請求項１または３に記載のクリップ装置。
【請求項５】
前記クリップ把持部は、一対の腕部と、前記腕部の先端側に設けられた爪部とを有するものである請求項４に記載のクリップ装置。
【請求項６】
前記保持部は、クリップを収納する収納溝を有するものである請求項１ないし５のいずれかに記載のクリップ装置。
【請求項７】
前記保持部は、前記クリップ把持部を案内するガイド溝を有するものである請求項１ないし６のいずれかに記載のクリップ装置。
【請求項８】
前記クリップは、該クリップ末端側に凹部を有するものである請求項１ないし７のいずれかに記載のクリップ装置。
【発明の詳細な説明】
【技術分野】
【０００１】
本発明は、クリップ装置に関する。
【背景技術】
【０００２】
内視鏡を用いた手術では、出血部位の結紮、裂創の縫縮および粘膜切除の際にマーキング等を行なうために、内視鏡用のクリップ装置が使用されている。
【０００３】
このような内視鏡クリップ装置としては、図１５に示すような内視鏡用のクリップ装置５００が開示されている（例えば、特許文献１参照）。クリップ装置５００は、開拡習性を有し、クリップ５０１の先端部を開閉する締付用リング５０２と、操作ワイヤー５０３の先端に設けられたフック５０４に着脱可能な連結板５０６より構成される。
【０００４】
このクリップ装置５００では、フック５０４のピン５０６を連結板５０６に設けられた小さな孔５０７に係止して、図示していないハンドルにより操作ワイヤー５０３を引き込んでクリップ５０１を取付ける。そして内視鏡を介して病巣部にクリップ５０１の先端が開いた部分を押し当てた状態でハンドルを操作することで締付用リング５０２内にクリップ５０１の末端が引き込まれ、クリップ５０１の先端の開口部が閉じて病巣を把持する。
【０００５】
しかし、フック５０４のピン５０５を、連結板５０６に設けられた小さな孔５０７に係止する操作は、うす暗い内視鏡室において行われるため、クリップ５０１を装着することは困難であった。
【０００６】
また、小さな孔５０７にピン５０５を係止した状態でハンドルを操作するため、操作中にピン５０５が外れたりする場合があった。
【０００７】
さらに、多くのクリップで病巣を把持しなければならない症例の場合には、迅速な作業を行なうのが困難であった。
【０００８】
また、基材と、基材との間に内視鏡用クリップを収納することができる内視鏡用クリップ包装体が開示されている（例えば、特許文献２参照）。この内視鏡用クリップ包装体によれば、予め滅菌処理しておくことで滅菌作業が容易となるものである。
【０００９】
しかし、この内視鏡用クリップ包装体からクリップを取付ける際には、クリップに直接手が触れないように、内視鏡用クリップ包装体を半分に開いた状態で内視鏡用クリップ包装体の上から一方の手でクリップを持つ必要がある。一方、他方の手ではハンドルと操作部材との２つの部品を持った状態で連結板の小さな孔にフックのピンを引っ掛けなければならない。すなわち、一人で上記作業を行なうにはコツが必要であり、なれない操作者にとっては大変な作業となっていた。また、操作の際に誤って滅菌されているクリップに触れてしまったり、滅菌袋からクリップを落としてしまったりする問題があった。
【特許文献１】実開平０２-６０１１号公報
【特許文献２】特開２０００-３３５６３１号公報
【発明の開示】
【発明が解決しようとする課題】
【００１０】
本発明の目的は、簡単かつ確実にクリップを取付けることができるクリップ装置を提供することにある。
【課題を解決するための手段】
【００１１】
このような目的は、下記（１）〜（８）に記載の本発明により達成される。
（１）長尺の筒状体と、
前記筒状体の先端側に設けられ、開閉自在なクリップを着脱自在に支持すると共に該クリップを閉じる機能を有する機能部と、
前記筒状体の基端側に設けられ、前記機能部を作動させる操作を行う操作部とを有するクリップ装置であって、
前記操作部近傍に、前記クリップを保持する保持部を有し、かつ前記保持部は着脱可能であることを特徴とするクリップ装置。
（２）着脱された前記保持部を、固定する手段を有するものである上記（１）に記載のクリップ装置。
（３）前記固定する手段は、台座である上記（２）に記載のクリップ装置。
（４）前記機能部は、前記操作部による操作により開閉可能な前記クリップを把持するクリップ把持部を有するものである上記（１）ないし（３）のいずれかに記載のクリップ装置。
（５）前記クリップ把持部は、一対の腕部と、前記腕部の先端側に設けられた爪部とを有するものである上記（４）に記載のクリップ装置。
（６）前記保持部は、クリップを収納する収納溝を有するものである上記（１）ないし（５）のいずれかに記載のクリップ装置。
（７）前記保持部は、前記クリップ把持部を案内するガイド溝を有するものである上記（１）ないし（６）のいずれかに記載のクリップ装置。
（８）前記クリップは、該クリップ末端側に凹部を有するものである上記（１）ないし（７）のいずれかに記載のクリップ装置。
【発明の効果】
【００１２】
本発明によれば、簡単かつ確実にクリップを取付けることができるクリップ装置を提供することができる。具体的には、本発明のクリップ装置を使用する者が一人で一方の手でハンドル部４１、他方の手に筒状体２というようにそれぞれの手に１部品を持って操作することができるため、簡単に操作でき、そして前記保持部を着脱可能とすることにより、術者の操作性を向上することができると共に、台座の使用により更に簡単に保持部の着脱が可能となる。またクリップ把持部３１の先端部をガイド溝５２に挿入して、ハンドル部４１を押し込むだけの単純な操作でクリップ８が取付けられるため、簡単かつ確実に操作できる。
【００１３】
また、前記保持部が前記クリップ把持部を案内するガイド溝を有している場合、より容易にクリップの把持をすることができる。
【発明を実施するための最良の形態】
【００１４】
以下、本発明のクリップ装置を添付図面に示す好適な実施の形態に基づいて詳細に説明する。
【００１５】
図１は、本発明のクリップ装置の一例を示す斜視図である。図２は、機能部の斜視図である。図３は、クリップの一例を示す斜視図である。図４は、操作部の斜視図である。図５は、操作部の分解斜視図である。図６は、操作部の部分断面図である。図７は、保持部の斜視図である。図８は、保持部の断面図である。図９は、台座の斜視図である。図１０〜図１４は、本発明のクリップ装置の使用方法を示すものである。図１および６で右側を基端側、左側を先端側とし、図４および５で下側を先端側、上側を基端側とする。
【００１６】
図１に示すように、クリップ装置１は、長尺状の筒状体２と、筒状体２の先端側に設けられ、開閉自在なクリップ（不図示）を着脱自在に支持すると共に該クリップを閉じる機能を有する機能部３と、筒状体２の基端側に設けられ、機能部３を作動させる操作を行なう操作部４と、操作部４の近傍に、前記クリップを保持する保持部５を有し、前記保持部は着脱可能であることを特徴とする。以下、各構成要素について説明する。
【００１７】
筒状体２は、内部に操作部４の操作を伝達する伝達部材が収納し得る空間を有している中空状で可とう性を有する長尺部材である。
【００１８】
伝達部材としては、例えば機能部３と操作部４との間を接続する管状体３２が挙げられる。
【００１９】
管状体３２内には、ワイヤーが挿通されている。ワイヤー先端は、クリップ把持部３１の基端部に固定されている。
【００２０】
伝達部材（管状体３２）がワイヤーに対して、相対的に軸方向に移動できるようになっている。
【００２１】
前記ワイヤーは、その全部または一部が可とう性を有していることが好ましく、例えばステンレス鋼、炭素鋼等の金属線、ポリアミド、ポリエステル、超高分子量ポリエチレン等の樹脂繊維等が挙げられる。
【００２２】
筒状体２の内径は、特に限定されないが、１．８〜２．８ｍｍが好ましく、特に２．０〜２．４ｍｍが好ましい。内径が前記範囲内であると、特に操作性に優れる。
【００２３】
筒状体２の長さは、特に限定されないが、１，５００〜３，０００ｍｍが好ましく、特に１，６００〜２，３００ｍｍが好ましい。長さが前記範囲内であると、特に内視鏡内での操作性に優れる。
【００２４】
筒状体２を構成する材料としては、例えばポリテトラフルオロエチレン樹脂（ＰＴＦＥ）、テトラフルオロエチレン-ヘキサフルオロプロピレン共重合体樹脂（ＦＥＰ）等のフッ素樹脂等が挙げられる。
【００２５】
図１および図２に示すように開閉自在なクリップ（不図示）を着脱自在に支持すると共に該クリップを閉じる機能を有する機能部３は、筒状体２の先端側に設けられる。
【００２６】
機能部３は、基端側が伝達手段に連結されたクリップ把持部３１と、クリップ把持部３１が進退自在に挿通可能である管状体３２の管状体先端部３２１とを有している。これにより、クリップ把持部３１が管状体３２に挿通された際にクリップ把持部３１を閉じることができ、それによって後述するクリップ８を把持することができる。
【００２７】
管状体先端部３２１には、後述するクリップを締結する締結リング８５を突出させるリング部３２２が設けられている。
【００２８】
リング部３２２の外径は、締結リング８５の外径とほぼ同じになっている。これにより、締結リング８５をクリップ８の凹部に押し出すことができる。
【００２９】
なお、本実施の形態ではリング部３２２の外径は、締結リング８５の外径とほぼ同じであったが、これに限定されず、リング部３２２により締結リング８５が押し出せる径であれば良い。
【００３０】
クリップ把持部３１は、一対の腕部３１１と、各腕部３１１の先端側に設けられた爪部３１２とを有している。これにより、後述するクリップ８の把持を容易、かつ確実に行なうことができる。
【００３１】
腕部３１１は、弾性を有する材料で構成されており、外力を付与しない状態では開いた状態を維持している（拡開習性）。腕部３１１を構成する材料としては、例えばステンレス、チタン等が挙げられる。
【００３２】
腕部３１１の長さは、特に限定されないが、２．０〜６．０ｍｍが好ましく、特に３．０〜５．０ｍｍが好ましい。長さが前記範囲内であると、特にクリップ８を把持する能力に優れる。
【００３３】
爪部３１２は、クリップ把持部３１の内側に向かって突出している。例えば、腕部３１１の先端を折り曲げるように形成されていても良い。
【００３４】
クリップ把持部３１の基端部は、操作部４からの操作を伝達する伝達部材に接合されている。
【００３５】
管状体３２は、操作部４の先端側から機能部３の先端近傍まで、筒状体２の内部を通って設けられている。
【００３６】
前述したように管状体３２に対しては、クリップ把持部３１が進退自在に挿通可能となっている。一方、管状体３２は、筒状体２に対して進退自在に挿通可能である。
【００３７】
管状体３２の外径は、特に限定されないが、１．７〜２．７ｍｍが好ましく、特に１．９〜２．３ｍｍが好ましい。外径が前記範囲内であると、特に操作性に優れる。
【００３８】
さて、その機能部３によって把持されるクリップ８は、図３に示すように例えば板バネ材等の金属製板を中央部で折り曲げ、先端側に拡開習性を有する一対の腕部８１と、基端側に機能部３によって把持される支点８２とを有している。
【００３９】
腕部８１の先端部には、患部等を把持する爪部８３が設けられている。
【００４０】
爪部８３は、クリップ８の内側に向かって突出している。例えば、腕部８１の先端を折り曲げるように形成されていても良い。
【００４１】
腕部８１には、基端側に凹部８４が設けられている。これにより、締結リング８５による固定を確実にすることができる。
【００４２】
凹部８４には、締結リング８５が係合できるようになっている。締結リング８５が凹部８４に係合することでクリップ８が閉じた後は、確実に閉じた状態を維持することができる。
【００４３】
締結リング８５の外径は、筒状体２の内径よりも小さく、かつ管状体３２のリング部３２２により先端側に突出される径であれば、特に限定されない。
【００４４】
図４に示すように操作部４は、本体６と、本体６の基端側（図４中右側）から本体６内に挿通可能なハンドル部４１と、本体６の先端側に設けられた筒状体２を押し出すスライド部４２とを有している。スライド部４２の先端部には、筒状体２が接続されている。
【００４５】
ハンドル部４１を本体６に一回押し込むと、操作部４の先端側の管状体３２が押し出される。それによって、管状体３２の先端開口部の縁部が各腕部３１１を押圧し（管状体３２がクリップ把持部３１の各腕部３１１の上に被さって）、クリップ把持部３１の各腕部３１１が閉じ、クリップ８を把持することができる。さらに、ハンドル部４１を押し込んだ状態を維持すると、管状体３２がさらに突出して管状体３２でクリップ８を最終的に閉じることができる。
【００４６】
また、スライド部４２と本体６との係合を解除して、ハンドル部４１を基端側にスライドさせると、筒状体２が押し出される。それによって、クリップ８の各腕部８１が閉じ、クリップ８を一時的に閉じ、筒状体２の中に収納することができる。これにより、内視鏡の中にクリップを容易に挿入することができる。
【００４７】
図４および図５に示すようにハンドル部４１は、支持部４１２と、支持部４１２の基端側の端部に設けられた環状部４１１とを有している。
【００４８】
支持部４１２は、先端側（図５左側）に向かって棒状の形状をなしている。支持部４１２の先端部には、突起を有する突起部４１３が形成されている。突起部４１３の中央部（円心近傍）は、後述する回転体６５の支柱部６５２の先端と嵌合する凹部４１４が設けられている。
【００４９】
環状部４１１は、術者が操作部４を操作するため、術者の指が挿入可能な程度の空間を有している。支持部４１２は、本体６内に挿通可能となっている。
【００５０】
図５に示すように本体６は、支持部４１２が挿通可能な筒状体６１と、筒状体６１の先端側にスライド部４２に挿通可能な円筒部６２とを有している。
【００５１】
筒状体６１の外周には、基端側から第１のフランジ６１１と、第２のフランジ６１２とが設けられている。
【００５２】
第２のフランジ６１２と、円筒部６２との間の筒状体６１の外周面には、クリップ８の保持部５を固定するための固定部６１３が設けられている。固定部６１３は、後述する保持部５の着脱溝５３と嵌合するレール状の形状となっている。
【００５３】
筒状体６１の先端部には、後述する棒状部材７が挿通可能な孔（不図示）が形成されている。
【００５４】
筒状体６１の内部には、先端側に配置されて使用される円筒状の停止手段６３と、円筒状の停止手段６３より基端側に配置される円筒状の位置決め手段６４と、停止手段６３と位置決め手段６４の内周に対して挿通可能な回転体６５とが配置されている。この停止手段６３と、位置決め手段６４に対する回転体６５の位置により、操作部４の動作が伝達部材である管状体３２を経て機能部３に伝達されることになる。
【００５５】
停止手段６３の外周面は、筒状体６１の内周面に嵌合するようになっている。一方、停止手段６３の内周には、回転体６５が挿通可能となっている。
【００５６】
さらに停止手段６３の内周面には、先端側に内周面の長手方向に沿った３本のリブ６３１が設けられている。
【００５７】
リブ６３１は、後述する回転体６５の凹部６５４と嵌合可能となっている。これによって、ハンドル部４１を押し込んだ際に回転体６５を筒状体６１内の先端側に深く押し込むことができる。
【００５８】
位置決め手段６４の外周面は、停止手段６３と同様に筒状体６１の内周面に嵌合するようになっている。
【００５９】
位置決め手段６４の内周には、回転体６５が挿通可能となっている。停止手段６３の基端側の端部と、位置決め手段６４の先端側の端部とは、連接している。
【００６０】
位置決め手段６４の内周面には、回転体６５の回転位置を固定する３本の溝６４１が長手方向に沿って設けられている。溝６４１には、回転体６５の突起部６５３の側部が嵌合するようになっている。これにより、回転体６５の位置が決められる。
【００６１】
さらに位置決め手段６４の先端側の端部には、ロック手段として機能する切欠き６４２が設けられている。切欠き６４２は、位置決め手段６４の長手方向に向かって形成されている。これにより、一回ハンドル部４１を押し込むと回転体６５が回転しながら押し込まれ、回転体６５の突起部６５３の先端を切欠き６４２により掛止することができる。これにより、回転体６５の位置が固定される。
【００６２】
回転体６５には、底部６５１から基端側に向かって、支柱部６５２と、３つの突起部６５３とが形成されている。各突起部６５３は、支柱部６５２の外周面に等間隔で設けられている。
【００６３】
底部６５１には、停止手段６３のリブ６３１と嵌合可能な３個の凹部６５４が、底部６５１の外周面に等間隔で形成されている。各凹部６５４は、各突起部６５３の間に形成されている。
【００６４】
回転体６５の支柱部６５２の先端面側には、後述する棒状部材７が挿入可能な凹部が形成されている。
【００６５】
ハンドル部４１の各突起部４１３の頂点と、回転体６５の各突起部６５３の頂点とは、少しずれるように配置されている。これにより、さらにハンドル部４１を押し込むと、回転体６５は回転しながら筒状体６１の先端側に押し込まれる。
【００６６】
円筒部６２は、後述するスライド部４２の内腔に挿通可能となっている。円筒部６２の基端側には、円周面上に沿った凹部６２１が形成されている。円筒部６２の内腔には、棒状部材７が挿通可能な内腔が形成されている。
【００６７】
棒状部材７は、支持棒７１と、支持棒７１の基端側に設けられるリング部７２と、リング部７２内を通って支持棒７１に対してスライド可能に設けられるスライド棒７３と、支持棒７１の先端側に配置されるバネ部７４とを有している。支持棒７１の先端部には、ワイヤーが接続されている。リング部７２は、支持棒７１の基端部に固定されている。すなわち、リング部７２は、ハンドル部４１の操作に対しても連動しないようになっている。これにより、ワイヤーはハンドル部４１の操作に対しても動くことが無いようになっている。
【００６８】
一方、スライド棒７３は、ハンドル部４１の操作により支持棒７１に対して相対的に移動可能となっている。
【００６９】
スライド棒７３の基端部には、管状体３２を突出させるためのリング部７２が配置されている。これにより、ハンドル部４１の操作により、管状体３２を突出させることができる。
【００７０】
スライド棒７３の基端部は、回転体６５の支柱部６５２の裏面（先端側面）に形成された凹部に挿入される。一方、支持棒７１の先端部には管状体３２が接続されている。
【００７１】
スライド部４２は、ほぼ円筒状であり、先端側には、筒状体２が接続されている。スライド部４２の基端側には、本体６の円筒部６２の凹部６２１に嵌合可能な凸部を有するリング状部４２１を有している。リング状部４２１には、円筒部６２の凹部６２１と係合を解除可能な係合解除手段が設けられている。
【００７２】
図６は、本体６の動作を説明するための断面図である。
【００７３】
静止状態（図６（ａ））では、ハンドル部４１は、何も作動していない状態であり、支持部４１２の突起部４１３の各頂点と、回転体６５の各突起部６５３の各頂点とは、位置をずらして接触している。
【００７４】
次に、ハンドル部４１を本体６内に徐々に押し込む。ハンドル部４１を半押しした状態（図６（ｂ））では、回転体６５が支持部４１２によって、回転しながら先端側に押し込まれる。これにより、図５に示す棒状部材７が先端側に押し込まれ、それに伴い管状体３２が押し出されクリップ把持部３１の上にかぶさり、クリップ把持部３１が徐々に閉じていくことになる（クリップ８を把持するようになる）。
【００７５】
そして、ハンドル部４１を停止手段６３に当接するまで押すと、一度ロックされ、ハンドル部４１がそれ以上押し込めない状態となる。この際、回転体６５は、位置決め手段６４から停止手段６３まで押し込まれ、１２０度回転して、位置決め手段６４の切欠き６４２で固定される。この状態では、図１に示す管状体３２がクリップ把持部３１の上にかぶさって、クリップ把持部３１が閉じている。そのため、クリップ把持部３１でクリップ８を把持することができる。
【００７６】
次に、さらにハンドル部４１を押し込むと、回転体６５は停止手段６３内に回転しながら押し込まれ、停止手段６３のリブ６３１と回転体６５の凹部６５４とが嵌合する位置で、さらに押し込まれる。それにより、図１に示す管状体３２が、さらに先端側に押し込まれる。そうすると、クリップ８の支点８２近傍に配置された締結リング８５が管状体先端部３２１により押し出され、凹部８４に嵌合してクリップ８が閉じられる。
【００７７】
図１に示すようにクリップ装置１は、操作部近傍にクリップ８を保持する保持部５が着脱可能になっている。
【００７８】
図７に示すように保持部５は、ほぼブロック状をなす部材であり、上面側（図７中上側）にはクリップ８を挿入可能な収納部５１が、所定の間隔で３つ形成されている。
【００７９】
保持部５は、特に限定されないが、透明な材料で構成されていることが好ましい。これにより、クリップ８が収納されているか否かを外部から容易に認識できる。
【００８０】
このような透明な材料としては、アクリロニトリル・ブタジエン・スチレン樹脂（ＡＢＳ樹脂）、ポリエチレン、ポリスチレン、ポリカーボネート、アクリル樹脂等の樹脂材料が挙げられる。
【００８１】
各収納部５１の両側部には、それぞれクリップ把持部３１を挿入できるガイド溝（逃げ溝）５２が形成されている。
【００８２】
ガイド溝５２は、収納部５１に連通している。ガイド溝５２を発光塗料で着色していることが好ましい。これにより、暗い内視鏡室においてもガイド溝５２の認識を容易にできる。
【００８３】
一方、下面側（図７中下側）には操作部４に対して着脱可能な着脱溝５３を有している。
【００８４】
なお、本実施形態では、クリップを３つ保持できる実施例を示したがこれに限定されず、２個、４個、５個等の複数個または１個であっても良い。
【００８５】
図８に示すように、収納部５１には、クリップ８の先端側を収納するために保持部５の底部側（図８中下側）に向かって孔が形成されている。
【００８６】
収納部５１は、図８中上側の横幅が、図８中下側の横幅よりも少し広くなっている。図８中上側の横幅には、クリップ８の締結リング８５が嵌合するようになっている。これにより、クリップ８を収納部５１内に固定するのが容易となる。
【００８７】
また、保持部５の底部（図８中下側）には、本体６に設けられた保持部５を固定する固定部６１３と着脱可能な着脱溝５３が設けられている。
【００８８】
着脱溝５３の一端は、閉じている。それによって、レールの端部が溝に当接して、固定部６１３に装着した際に本体６のほぼ中心部に保持部５を位置決めすることができる。
【００８９】
また図示はしていないが、着脱溝を保持部の両端部に設け、保持部の中央で固定部が当接する構造にすることで着脱溝のどちら側からでも固定部に入れ込めるため好ましい一例である。
【００９０】
収納部５１の幅は、クリップ８が自然状態で開く幅よりも少し小さくなっている。すなわち、クリップ８は、その幅が自然状態よりも若干小さく、閉じるように付勢されている。これにより、クリップ８が保持部５の中に安定して収納できる。
【００９１】
このような保持部５は、クリップ８を収納した状態で滅菌袋に入って滅菌されていることが好ましい。これにより、操作毎に滅菌処理する必要がなく、操作性に優れる。
【００９２】
図９に示す台座９は、図７に示す保持部５の底部に設けられた着脱溝５３に嵌合するように長手方向にレール形状の固定部９１が設けられており、保持部の着脱溝の一部は閉じていてそれにより固定部が当接して位置決めができる。
【００９３】
そして保持部からクリップを装填する際には、台座をテーブル等の平坦な部分に固定して使用するため、テープ固定用溝９２が固定部９１に平行になるよう２本設けられている。
【００９４】
台座は滅菌の必要がないため同じものが繰り返し使用されるため耐磨耗性が良く、またエタノールなどの消毒液で台座を消毒する場合があるため耐溶剤性が良く、さらに量産に対応できるよう射出成形が可能な材質が好ましく、アクリロニトリル・ブタジエン・スチレン樹脂（ＡＢＳ樹脂）、ポリエチレン、ポリスチレン、ポリカーボネート等の合成樹脂が好ましい。
【００９５】
またテープ固定用溝の幅は特に限定されないが、１０〜２０ｍｍが好ましく、特に１４〜２０ｍｍが好ましい。幅が前記範囲内であると、特にしっかりと固定できる。またテープ固定用溝の高さ（固定する面からの高さ）は特に限定されないが、０．３〜１．５ｍｍが好ましく、特に０．５〜１ｍｍが好ましい。高さが前記範囲内であると、特に成形性がよい。
【００９６】
次に、クリップ装置１の使用方法の一つである止血方法について、図１０〜図１３に基づいて説明する。
（１）図１０に示すように、収納部５１にクリップ８を収納した保持部５を操作部４に固定した状態で、筒状体２の先端側を持ちながらクリップ把持部３１の各腕部３１１を保持部５のガイド溝５２に挿入する。したがって、操作の際にクリップ８が手などに直接触れることがないため汚染の心配がない。
【００９７】
なお、予め滅菌処理されたクリップ８が収納された保持部５は、図示はしていないが滅菌袋内に入っており、使用時には滅菌袋から開いて、取り出して、操作部４に固定する。
（２）次に、ハンドル部４１をロック手段が作用するまで一回押し込み、管状体３２を先端側に突出させることでクリップ把持部３１が閉じる（図１１）。それにより、クリップ把持部３１が、収納部５１に収納されているクリップ８の支点８２を把持する。したがって、一方の手でハンドル部４１、他方の手に筒状体２というようにそれぞれの手に１部品を持って操作するため、簡単に操作できる。さらにクリップ把持部３１の先端部をガイド溝５２に挿入して、ハンドル部４１を押し込むだけの単純な操作でクリップ８が取付けられるため、簡単かつ確実に操作できる。
（３）クリップ把持部３１がクリップ８を把持している状態で、筒状体６１とスライド部４２との係合を解除してハンドル部４１を基端側に引き抜く。これにより、管状体３２が基端側に引かれ、筒状体２がクリップ８の上にかぶさることでクリップ８を一旦閉じる（図１２）。
（４）このクリップ８が筒状体２内に収納され、閉じた状態で内視鏡（不図示）の中に通し、内視鏡全体を生体内の目的部位（出血している箇所）の近傍に挿入する。そして、内視鏡で確認しながら、内視鏡の先端から筒状体２を突出させる。そして、ハンドル部４１を先端側に押し込んで、スライド部４２と、筒状体６１とを係合する。この状態で、クリップ８は筒状体２から突出して開いている。
（５）次に、開いているクリップ８を目的部位に押し当てる。そして、ハンドル部４１をさらに先端側に押し込む。これにより、管状体３２が先端側に突出し、クリップ８の締結リング８５を先端側に押し出す。それにより、クリップ８の両腕部８１が閉じて生体の目的部位を挟み込む。ここで、管状体３２により押し出された締結リング８５が、クリップ８の凹部８４と係合するのでクリップ８は閉じた状態を維持することができる（図１３）。
【００９８】
クリップ８を閉じた後でハンドル部４１は基端側に戻るようになる。この際にクリップ把持部３１に被さっていた管状体３２が基端側に後退するのでクリップ把持部３１の両腕部３１１も開き、クリップ８からクリップ把持部３１が外れることになる。
（６）そして、クリップ８を体内に留置した状態のまま、クリップ把持部３１を内視鏡と共に体内から引き抜く。クリップ８で把持された部位が、壊死するとクリップ８は自然に外れ、体外に排出される。
【００９９】
また図１４には、台座９をテープ９３でとめて保持部５を固定した状態でのクリップの装填方法を示すが、この場合でも前述のとおりクリップに直接接触することがないため汚染の心配がなく、また保持部のクリップを使い切れば、クリップ装置を使用中でも新たな保持部を台座に取付けておくことができるためスムースな操作が可能となり、更にテーブル等の平らな場所に設置されるため、保持部の着脱がより簡単になる。
【０１００】
また台座９の底面部は平らな構造のため、両面テープを底面部に貼り付けてテーブルなどに固定して使用することも好ましい１例である。
【０１０１】
以上、本発明のクリップ装置を添付図面に示す好適な実施形態に基づいて説明したが、本発明はこれらに限定されるものではなく、例えば機能部、操作部、保持部等の構成については同様の機能を生じ得る任意の構成のものと置換することができる。
【産業上の利用可能性】
【０１０２】
本発明のクリップ装置は、主として内視鏡を介して生体組織の出血部位の結紮、裂創の縫縮及び粘膜組織切除の際のマーキングなどに用いられる。
【図面の簡単な説明】
【０１０３】
【図１】本発明のクリップ装置の一例を示す斜視図である。
【図２】機能部の斜視図である。
【図３】クリップの一例を示す斜視図である。
【図４】操作部の斜視図である。
【図５】操作部の分解斜視図である。
【図６】操作部の部分断面図である。
【図７】保持部の斜視図である。
【図８】保持部の断面図である。
【図９】台座の斜視図である。
【図１０】機能部でクリップを把持しようとする状態を示す斜視図である。
【図１１】機能部でクリップを把持している状態を示す部分断面図である。
【図１２】クリップが一旦閉じている状態を示す部分断面図である。
【図１３】クリップが閉じている状態を示す斜視図である。
【図１４】台座を使用して機能部でクリップを把持しようとする状態を示す斜視図である。
【図１５】従来のクリップ装置を示す斜視図である。
【符号の説明】
【０１０４】
１      クリップ装置
２      筒状体
３      機能部
３１    クリップ把持部
３１１  腕部
３１２  爪部
３２    管状体
３２１  管状体先端部
３２２  リング部
４     操作部
４１    ハンドル部
４１１  環状部
４１２  支持部
４１３  突起部
４１４  凹部
４２    スライド部
４２１  リング状部
５      保持部
５１    収納部
５２    ガイド溝
５３    着脱溝
６      本体
６１    筒状体
６１１  第１のフランジ
６１２  第２のフランジ
６１３  固定部
６２    円筒部
６２１  凹部
６３    停止手段
６３１  リブ
６４    位置決め手段
６４１  溝
６４２  切欠き
６５    回転体
６５１  底部
６５２  支柱部
６５３  突起部
６５４  凹部
７      棒状部材
７１    支持棒
７２    リング部
７３    スライド棒
７４    バネ部
８      クリップ
８１    腕部
８２    支点
８３    爪部
８４    凹部
８５    締結リング
９      台座
９１    固定部
９２    テープ固定溝
９３    テープ
５００  クリップ装置
５０１  クリップ
５０２  締付用リング
５０３  操作ワイヤー
５０４  フック
５０５  ピン
５０６  連結板
５０７  孔
【図１】
2006026119.tif 000003
【図２】
2006026119.tif 000004
【図３】
2006026119.tif 000005
【図４】
2006026119.tif 000006
【図５】
2006026119.tif 000007
【図６】
2006026119.tif 000008
【図７】
2006026119.tif 000009
【図８】
2006026119.tif 000010
【図９】
2006026119.tif 000011
【図１０】
2006026119.tif 000012
【図１１】
2006026119.tif 000013
【図１２】
2006026119.tif 000014
【図１３】
2006026119.tif 000015
【図１４】
2006026119.tif 000016
【図１５】
2006026119.tif 000017